(57)【要約】【課題】横幅が制限された中で多数のカードをストック可能なカード処理装置および台間遊技設備機器を提供する。【解決手段】パチンコ機とパチンコ機との間の狭小空間に設置される台間玉貸機などの台間遊技設備機器１０において、挿入されるカード３８の幅を台間遊技設備機器１０の前面の横幅よりも狭くし、カードの挿入口１９を台間遊技設備機器１０の前面に水平方向に細長く設ける。カード処理装置４０は、カードを水平な状態で垂直方向に積み重ねてカード収容部４１に収容する。搬送部４２は、カード収容部４１とカード挿入口１９との間でカードを水平に真っ直ぐに搬送する。また搬送経路の途中には、一時停止したカードに対してデータの読み書きを行なうカードアクセス部４３のアンテナ４３ａが設けてある。【選択図】図１
2006006502.tif 000002
【特許請求の範囲】
【請求項１】
遊技機と遊技機との間に設置される台間遊技設備機器に内蔵されるカード処理装置であって、
情報を記録可能なカードをその面が前記台間遊技機設備機器の長方形を成す前面の長辺方向と垂直になる状態で積層して収容するカード収容部と、
カードの挿入と排出の少なくとも一方が行なわれる開口部であって前記台間遊技設備機器の前面にその短辺方向に細長く設けられたものと、前記カード収容部との間でカードを搬送する搬送手段と、
前記搬送手段が有する搬送経路の途中に設けられ、カードへの情報の記録とカードからの情報の読み出しの少なくとも一方を行なうカードアクセス部と
を有する
ことを特徴とする台間遊技設備機器のカード処理装置。
【請求項２】
遊技機と遊技機との間に設置される台間遊技設備機器に内蔵されるカード処理装置であって、
情報を記録可能なカードを水平な状態で垂直方向に積層して収容するカード収容部と、
カードの挿入と排出の少なくとも一方が行なわれる開口部であって前記台間遊技設備機器の前面に水平方向に細長く設けられたものと、前記カード収容部との間でカードを搬送する搬送手段と、
前記搬送手段が有する搬送経路の途中に設けられ、カードへの情報の記録とカードからの情報の読み出しの少なくとも一方を行なうカードアクセス部と
を有する
ことを特徴とする台間遊技設備機器のカード処理装置。
【請求項３】
前記カードの平面形状が長方形であり、
前記開口部はその長手方向の長さが前記カードの短辺の長さに合わせてあり、
前記カード収容部は、前記カードをその短辺が前記台間遊技設備機器の前面と平行になる状態で積層して収容する
ことを特徴とする請求項１または２に記載の台間遊技設備機器のカード処理装置。
【請求項４】
前記搬送手段は、前記開口部または前記カード収容部から前記カードアクセス部がカードにアクセスする所定のアクセス位置までカードを搬送して一時停止させる機能と、
カードを前記アクセス位置から前記開口部へ搬送して排出する機能と、
カードを前記アクセス位置から前記カード収容部へ搬送して収容する機能と
を有する
ことを特徴とする請求項１、２または３に記載の台間遊技設備機器のカード処理装置。
【請求項５】
前記カード収容部は、カード１枚分の通過口と、収容されているカードをその端の１枚の端面が前記通過口に臨む位置となるように加圧する加圧手段とを備え、
前記搬送手段は、前記通過口を通じて前記カード収容部にカードを収容するとき、積層状態のカードを前記加圧手段の加圧方向と反対方向に押圧して前記通過口に臨む位置からカードを退避させるカード退避機構を有する
ことを特徴とする請求項１、２、３または４に記載の台間遊技設備機器のカード処理装置。
【請求項６】
前記カードアクセス部は、非接触通信素子を含むカードと通信するものであって、通信用のアンテナを有する
ことを特徴とする請求項１、２、３、４または５に記載の台間遊技設備機器のカード処理装置。
【請求項７】
請求項１、２、３、４、５または６に記載のカード処理装置を内蔵した台間遊技設備機器。
【請求項８】
遊技機と遊技機との間に設置され、平面形状が長方形を成すカードの挿入と排出の少なくとも一方が行なわれる開口部を備えた台間遊技設備機器において、
前記カードの短辺の長さを当該台間遊技設備機器の長方形を成す前面の短辺の長さより短くし、
当該台間遊技設備機器の前面に前記開口部を前記前面の短辺方向に細長く設け、
内蔵するカード収容部に前記カードをその面が前記前面の長辺方向と垂直でかつ前記カードの短辺が前記前面と平行になる状態で積層して収容する
ことを特徴とする台間遊技設備機器。
【発明の詳細な説明】
【技術分野】
【０００１】
本発明は、パチンコ機などの遊技機と遊技機との間に設置される台間遊技設備機器およびこれに内蔵されるカード処理装置に関する。
【背景技術】
【０００２】
パチンコ機などの遊技機を多数設置した遊技場では、遊技媒体であるパチンコ球を貸し出す台間機を遊技機１台１台に付帯して設置するようになっている。台間機は、遊技機島に多数並設して収めた遊技機と遊技機との間のわずかの隙間に設置するため、前面の横幅が４０ミリ程度の薄型に構成されている。
【０００３】
また、遊技媒体を貸し出す台間機では、現金のほか、プリペイドカードやメンバーカードを利用して遊技媒体を貸し出したり精算したりすることが可能になっている。このようなカードを出し入れするためのカード挿排口は、台間機の横幅が狭いことから垂直方向（縦）に細長く設けてある。
【０００４】
縦に細長いカード挿排口の奥には、リード／ライタがあり、さらにその奥には、新たに発行するカードをストックしたり使用済みのカードを回収してストックしたりするためのカード収容部が設けてある。リード／ライタはカードを垂直にした状態で情報を読み書きし、カード収容部は垂直なカードを水平方向に積層して収容するようになっている（たとえば、特許文献１参照）。
【０００５】
【特許文献１】特開２００１−３４８１５号公報
【発明の開示】
【発明が解決しようとする課題】
【０００６】
上記のように従来の台間機では、垂直にしたカードを水平方向に積層してカード収容部に収容するので、横幅の狭い台間機では積層可能な枚数が少なかった。このため、台間機へカードを補充する作業や満杯になったカードを回収する作業を行なう回数が増え、遊技者に不便をかけるほか、管理に手間がかかるという問題があった。
【０００７】
本発明は、上記の問題を解決しようとする課題にするものであり、横幅が制限された中で多数のカードをストック可能なカード処理装置および台間遊技設備機器を提供することを目的とするものである。
【課題を解決するための手段】
【０００８】
請求項１に係わる発明は、遊技機と遊技機との間に設置される台間遊技設備機器に内蔵されるカード処理装置であって、
情報を記録可能なカードをその面が前記台間遊技機設備機器の長方形を成す前面の長辺方向と垂直になる状態で積層して収容するカード収容部（４１）と、
カードの挿入と排出の少なくとも一方が行なわれる開口部（１９）であって前記台間遊技設備機器の前面にその短辺方向に細長く設けられたものと、前記カード収容部（４１）との間でカードを搬送する搬送手段（４２）と、
前記搬送手段（４２）が有する搬送経路の途中に設けられ、カードへの情報の記録とカードからの情報の読み出しの少なくとも一方を行なうカードアクセス部（４３）と
を有する
ことを特徴とする台間遊技設備機器のカード処理装置である。
【０００９】
上記発明によれば、カードは、台間遊技設備機器の長方形を成す前面にこの前面の短辺方向に細長く設けられた開口部（１９）を通じて挿入または排出され、カード収容部（４１）に台間遊技機設備機器の前面の長辺方向と垂直な状態で積層され収容される。前面の短辺方向の長さに厳しい制限のある台間遊技設備機器においても、前面の長辺方向にカードを積層して収容することで収容可能枚数の増大が可能になる。
【００１０】
カードは扁平であれば、平面形状は問わず、長方形でも正方形その他の形状であってもかまわない。カードアクセス部（４３）がカードへアクセスする方法は限定されない。たとえば、非接触無線通信で情報を読み書きするほか、端子が接触する方式、光学的に読み書きする方法などがある。
【００１１】
請求項２に係わる発明は、遊技機と遊技機との間に設置される台間遊技設備機器に内蔵されるカード処理装置であって、
情報を記録可能なカードを水平な状態で垂直方向に積層して収容するカード収容部（４１）と、
カードの挿入と排出の少なくとも一方が行なわれる開口部（１９）であって前記台間遊技設備機器の前面に水平方向に細長く設けられたものと、前記カード収容部（４１）との間でカードを搬送する搬送手段（４２）と、
前記搬送手段（４２）が有する搬送経路の途中に設けられ、カードへの情報の記録とカードからの情報の読み出しの少なくとも一方を行なうカードアクセス部（４３）と
を有する
ことを特徴とする台間遊技設備機器のカード処理装置である。
【００１２】
上記発明によれば、カードは、台間遊技設備機器の前面に水平方向に細長く設けられた開口部（１９）を通じて水平な状態で挿入または排出され、またカード収容部（４１）に水平な状態で垂直方向に積み重ねて収容される。横幅に厳しい制限のある台間遊技設備機器においても、カード収容部（４１）を垂直方向に延ばすことで収容枚数の増加が可能になる。
【００１３】
「水平方向に細長い」とは、略矩形を成した開口部（１９）の水平方向の長さが垂直方向の長さよりも長いことをいい、カードが水平な状態で出入りする形状をいう。なお、平面長方形のカードの場合には長方形の短辺側から開口部（１９）に挿入することになる。搬送途中のカードの向きは問わないが、カードの表裏面が垂直平面と直交する関係にあるとよく、さらにはカードを水平な状態で搬送しかつ水平な状態でカードにアクセスするように構成すると、搬送手段（４２）の簡素化などにとって好ましい。
【００１４】
請求項３に係わる発明は、前記カードの平面形状が長方形であり、
前記開口部（１９）はその長手方向の長さが前記カードの短辺の長さに合わせてあり、
前記カード収容部（４１）は、前記カードをその短辺が前記台間遊技設備機器の前面と平行になる状態で積層して収容する
ことを特徴とする請求項１または２に記載の台間遊技設備機器のカード処理装置である。
【００１５】
上記発明によれば、台間遊技設備機器の前面の短辺方向や水平方向に細長く開口部を設けた場合でも、長方形のカードの短辺側を先端または後端にしてカードを開口部に挿入・排出し、かつこの向きでカードをカード収容部に収容するので、台間遊技設備機器の前面の短辺方向の幅や水平方向の幅（横幅）に制限があっても、カードをその長辺方向に長くすることで、カードサイズを大きくすることができる。
【００１６】
請求項４に係わる発明は、前記搬送手段（４２）は、前記開口部（１９）または前記カード収容部（４１）から前記カードアクセス部（４３）がカードにアクセスする所定のアクセス位置までカードを搬送して一時停止させる機能と、
カードを前記アクセス位置から前記開口部（１９）へ搬送して排出する機能と、
カードを前記アクセス位置から前記カード収容部（４１）へ搬送して収容する機能と
を有する
ことを特徴とする請求項１、２または３に記載の台間遊技設備機器のカード処理装置である。
【００１７】
上記発明によれば、開口部（１９）に挿入されたカードやカード収容部（４１）にストックされているカードをカードアクセス部（４３）まで搬送し、アクセス後に開口部（１９）から排出する動作、およびアクセス後にカード収容部（４１）へ回収する動作が可能になる。
【００１８】
請求項５に係わる発明は、前記カード収容部（４１）は、カード１枚分の通過口と、収容されているカードをその端の１枚の端面が前記通過口（４１ｂ）に臨む位置となるように加圧する加圧手段（４６）とを備え、
前記搬送手段（４２）は、前記通過口（４１ｂ）を通じて前記カード収容部（４１）にカードを収容するとき、積層状態のカードを前記加圧手段（４６）の加圧方向と反対方向に押圧して前記通過口（４１ｂ）に臨む位置からカードを退避させるカード退避機構（５５、５６）を有する
ことを特徴とする請求項１、２、３または４に記載の台間遊技設備機器のカード処理装置である。
【００１９】
上記発明によれば、通常状態では、積層状態の端にある１枚のカードが、加圧手段（４６）の加圧により通過口（４１ｂ）に臨む位置にあるので、搬送手段（４２）が繰り出し動作を行なうと、その１枚のカードだけが通過口（４１ｂ）を通ってカード収容部（４１）から送り出される。一方、カード収容部（４１）にカードを収容するときは、カード退避機構（５５、５６）の動作によって通過口（４１ｂ）の奥に空間が形成され、その空間へカードが送り込まれて収容される。
【００２０】
たとえば、垂直方向に積層したカードの下端の１枚が通過口（４１ｂ）に臨むようにカードを下向きに加圧する場合は、加圧手段にバネなどの弾性体を使用するほか、カードの自重やカードの上に載置した錘（４６）を加圧手段としてもよい。垂直方向に積層したカードの上端の１枚、あるいは水平方向に積層したカードの端の１枚が通過口に臨むようにカードを加圧する場合は、バネなどの弾性体を加圧手段に使用するとよい。
【００２１】
請求項６に係わる発明は、前記カードアクセス部（４３）は、非接触通信素子（３９）を含むカードと通信するものであって、通信用のアンテナ（４３ａ）を有する
ことを特徴とする請求項１、２、３、４または５に記載の台間遊技設備機器のカード処理装置である。
【００２２】
上記発明によれば、カードアクセス部（４３）はアンテナ（４３ａ）を有し、このアンテナ（４３ａ）を通じてカード内の非接触通信素子（３９）と通信することでカードへの情報の書き込みやカードからの情報の読み出しが行なわれる。非接触通信素子（３９）には、たとえば、非接触型のＩＣタグがある。
【００２３】
請求項７に係わる発明は、請求項１、２、３、４、５または６に記載のカード処理装置を内蔵した台間遊技設備機器である。
【００２４】
請求項８に係わる発明は、遊技機と遊技機との間に設置され、平面形状が長方形を成すカードの挿入と排出の少なくとも一方が行なわれる開口部（１９）を備えた台間遊技設備機器において、
前記カードの短辺の長さを当該台間遊技設備機器の長方形を成す前面の短辺の長さより短くし、
当該台間遊技設備機器の前面に前記開口部（１９）を前記前面の短辺方向に細長く設け、
内蔵するカード収容部（４１）に前記カードをその面が前記前面の長辺方向と垂直でかつ前記カードの短辺が前記前面と平行になる状態で積層して収容する
ことを特徴とする台間遊技設備機器である。
【発明の効果】
【００２５】
本発明に係わる台間遊技設備機器およびそのカード処理装置によれば、カードをその面が台間遊技設備機器の長方形を成す前面の長辺方向と垂直になる状態にして収容するので、前面の短辺方向の長さに厳しい制限のある台間遊技設備機器においても、前面の長辺方向にカードを積層することで多数のカードをストックすることが可能になる。
【００２６】
また、台間遊技設備機器の前面に設けた水平方向に細長い開口部を通じてカードを水平な状態で挿入または排出するとともに、カード収容部にカードを水平な状態で垂直方向に積み重ねて収容するものでは、横幅の制限された台間遊技設備機器においてもカードの収容可能枚数を増やすことができる。
【００２７】
開口部またはカード収容部からアクセス位置までカードを搬送して一時停止させる機能と、カードをアクセス位置から開口部へ搬送して排出する機能と、カードをアクセス位置からカード収容部へ搬送して収容する機能とを有するものでは、使用済みのカードをカード収容部に回収し、これを新たに発行するカードとして再利用することができる。
【００２８】
カード１枚分の通過口と、積層状態の端にある１枚のカードをその端面が通過口に臨むように加圧する加圧手段と、既に収容されているカードをカード収容時に通過口の前から退避させて空間を形成するカード退避機構とを有するものでは、カードを１枚ずつ繰り出す動作とカードを収容する動作の双方を円滑に行なうことができる。
【発明を実施するための最良の形態】
【００２９】
以下、図面に基づき本発明の実施の形態を説明する。
【００３０】
図２は、本発明の実施の形態に係わる台間遊技設備機器１０の遊技場における設置状態の一例を示している。遊技場内には、遊技機としてのパチンコ機３と、このパチンコ機３で使用するパチンコ球（遊技媒体）を遊技者に貸し出す台間遊技設備機器１０とを一組にしたものを多数並設して表裏両面に収容した遊技機島４が設けてある。隣り合うパチンコ機３同士の間隔は４０ミリであり、この狭い空間に台間遊技設備機器１０が収められる。
【００３１】
なお、台間遊技設備機器１０は、組み合わされているパチンコ機３にパチンコ球の払出信号を送出し、これを受けたパチンコ機３が自機の上皿５にパチンコ球を排出する、いわゆるＣＲサンド機として構成されている。
【００３２】
台間遊技設備機器１０は、パチンコ球の貸し出し用の代金や金銭価値などを遊技者が管理するためのカードとして、ビジターカードと、メンバーカードの２種類を取り扱うことができるようになっている。これらのカードはいずれも非接触型のＩＣカードであり、情報を書き換え可能に記憶する機能を備えている。
【００３３】
ビジターカードは、使用者を特定しないプリペイド方式のカードであり、カードに登録されている残金分だけ、パチンコ球の貸し出しを受けることができる。また、ビジターカードは、データを書き換えて何度も使用可能な、いわゆるリサイクルカードであり、残金がなくなると回収され、新規に発行するビジターカードとして再利用されるようになっている。メンバーカードは、持ち主の会員と１対１に対応付けされたカードであり、台間遊技設備機器１０へ挿入することで遊技者が特定される。メンバーカードを投入することにより、その会員が保有している残金や貯玉の利用等が可能になる。
【００３４】
図３は、台間遊技設備機器１０の前面（正面）を示している。台間遊技設備機器１０はその前面が長方形を成しており、長方形の短辺が水平になるようにして設置される。台間遊技設備機器１０の前面には、上から下に向けて順に、状態表示ランプ１１と、紙幣挿排口１２と、度数表示部１３と、表示部１４と、操作部１５と、受光部１６と、キー穴１７と、ビジターカード確認ＬＥＤ１８と、ビジターカード挿入口１９と、メンバーカード確認ＬＥＤ２０と、メンバーカード挿入口２１とが設けられている。
【００３５】
状態表示ランプ１１は、台間遊技設備機器１０の運用状態を表示するランプである。紙幣挿排口１２は、パチンコ球の貸し出し代金となる紙幣の投入および投入された紙幣の返却を行なうための開口である。度数表示部１３は、使用中のカードの残高を表示するための表示部である。表示部１４は、再プレイ利用可能度数や会員情報など各種の情報が表示される表示部である。
【００３６】
操作部１５は、カードの残金から貸し出しに使用する金額や暗証番号などを入力するためのテンキーやその他の入力キーで構成される。受光部１６は、遊技場の係員が操作するリモコンが送出する光信号を受光するための受光窓である。キー穴１７は、台間遊技設備機器１０を手前に引き出し不能に遊技機島４に固定するロック機構を解除する鍵を挿入するための鍵穴である。
【００３７】
ビジターカード確認ＬＥＤ１８は、ビジターカードの状態を表示するためのランプである。ビジターカード挿入口１９はビジターカードの挿入および排出が行なわれる開口部である。ビジターカード挿入口１９は、ビジターカードを水平な状態で挿入するように、水平方向に細長い矩形状に開口している。すなわち、ビジターカード挿入口１９は、台間遊技設備機器１０の長方形を成す前面の短辺方向に細長い矩形状に開口している。
【００３８】
メンバーカード確認ＬＥＤ２０は、メンバーカードの状態表示を行なうランプである。メンバーカード挿入口２１は、メンバーカードの挿入および排出が行なわれる開口部である。メンバーカード挿入口２１はメンバーカードを垂直にして挿入するように、垂直方向に細長い矩形状に開口している。
【００３９】
図４は、台間遊技設備機器１０の左側面を示している。台間遊技設備機器１０の内部には、投入された紙幣の真偽や金額を判定する紙幣識別機３１や払い出しに係わる各種の制御を行なう制御基板３２、３３などが収容されている。また、台間遊技設備機器１０の背面には、パチンコ機３に払出信号を送出したり、遊技場の管理装置との間で売上げに係わるデータや会員情報などを送受信したりするための外部出力端子板３４が設けてある。
【００４０】
ビジターカード挿入口１９に対応する位置には、ビジターカードに対するリード／ライト機能やビジターカードをストックする機能を果たすカード処理装置４０が取り付けてある。メンバーカード挿入口２１に対応する位置には、メンバーカードに対する情報の読み出しおよび書き込み書き換えを行なうメンバーカードＲ／Ｗユニット３５が設けてある。カード処理装置４０の下方でメンバーカードＲ／Ｗユニット３５の奥手にはカード処理装置４０およびメンバーカードＲ／Ｗユニット３５の動作を制御するカード制御基板９０が設けてある。
【００４１】
図５は、ビジターカードの外観を示している。ビジターカード３８は、厚さ数ミリの扁平な長方形を成しており、その平面形状は、たとえば、長方形の短辺（幅）が約２５ｍｍ、長辺（長さ）が約６０ｍｍになっている。ビジターカード３８には、外部から電磁的に電力の供給を受けて動作するＩＣタグ３９が内蔵されている。ＩＣタグ３９は、ＲＦＩＤ（Ｒａｄｉｏ Ｆｒｅｑｕｅｎｃｙ ＩＤｅｎｔｉｆｉｃａｔｉｏｎ、電波方式非接触識別）方式を使用した無線ＩＣタグである。
【００４２】
ＩＣタグ３９は、図示省略のアンテナと、電力生成部と、通信部と、書き換え可能な不揮発性メモリと、ＣＰＵ（中央処理装置）とを有している。ＩＣタグは、無線通信で受信したデータを不揮発性メモリに書き込んだり、不揮発性メモリに記憶されているデータを読み出して無線送信したりする機能を備えている。
【００４３】
図１は、カード処理装置４０の概略構成を示している。カード処理装置４０は、ビジターカード３８をその面が台間遊技設備機器１０の長方形を成す前面の長辺方向と垂直になる状態で積層して収容するカード収容部４１を備えている。すなわち、カード収容部４１は、ビジターカード３８を水平な状態で垂直方向に積み重ねて収容する。またカード処理装置４０は、ビジターカード挿入口１９とカード収容部４１との間でビジターカード３８を搬送する搬送部４２と、その搬送経路の途中に設けられたカードアクセス部４３とを備えている。
【００４４】
搬送部４２の搬送経路は、ビジターカード挿入口１９とカード収容部４１との間に水平かつ直線状に設けてあり、ビジターカード３８は水平な状態で真っ直ぐに搬送されるようになっている。
【００４５】
カード収容部４１は、カード処理装置４０のフレームＦに設けられている。カード収容部４１は、ビジターカード３８をその面が台間遊技機設備機器１０の長方形を成す前面の長辺方向と垂直になる状態（ここでは、水平な状態）で積層して収容可能な空間を構成する側壁部と天井部とで構成され、下部は開放されている。
【００４６】
カード収容部４１の内部には、カード収容部４１内が満杯近くになったことを検出する満杯センサ４４および収容されているカードが残り少なくなったことを検知するニアエンドセンサ４５が設けられている。これらは反射型光センサで構成されている。透過型光センサやその他のセンサを使用してもよい。なお、カード収容部４１に収容されたビジターカード３８の上には、これらビジターカード３８の浮き上がりを防止する錘４６（加圧手段）が載置されている。
【００４７】
カード収容部４１の開放されている下部には、搬送部４２の一部を成すアイドリングローラ５１と、繰り出しローラ５２とが設けられている。これらは実質的にカード収容部４１の底部を成し、カード収容部４１に収容されているビジターカード３８を下方から支持する役割を果たす。
【００４８】
アイドリングローラ５１はフレームＦに設けられた支軸５３に回転自在に軸支されている。繰り出しローラ５２は、アイドリングローラ５１からカードアクセス部４３側へ所定距離を離れた位置で、フレームＦに設けられた支軸５４に回転自在に軸支されている。
【００４９】
なお、カード収容部４１のカードアクセス部４３側の側壁４１ａの下端の位置は、繰り出しローラ５２の上面に直接載置される一番下のカード１枚だけが通過可能に設定してあり、側壁４１ａの下端の下方に通過口４１ｂを形成している。
【００５０】
アイドリングローラ５１および繰り出しローラ５２はビジターカード３８の幅（短辺）より短く、アイドリングローラ５１を中間に挟むようにして、逆さＬ字状を成した２枚の押上レバー５５がその角部でアイドリングローラ５１の支軸５３に回動自在に軸支されている。押上レバー５５の略水平な一方の片５５ａの先端は繰り出しローラ５２の両脇に少しかかるまで延びている。略垂直下方に延びた他方の片５５ｂの下端はフレームＦに固定されたソレノイド５６のロッド５６ａに接続されている。
【００５１】
このソレノイド５６が駆動されてロッド５６ａが引き込まれたとき、カード収容部４１に収容されているビジターカード３８を繰り出しローラ５２の上面から少なくともカード１枚分の厚さ以上の距離まで持ち上げることができるように押上レバー５５の大きさ等を設定してある。
【００５２】
またフレームＦの所定箇所にはソレノイド５６の駆動を確認するためのリミットスイッチ５７が設けてある。リミットスイッチ５７は、ソレノイド５６が駆動されたとき、ロッド５６ａの引き込みに伴って回動した押上レバー５５の他方の片５５ｂに押圧されてオンになる位置に取り付けられている。押上レバー５５およびソレノイド５６によりカード退避機構が構成される。
【００５３】
繰り出しローラ５２のカードアクセス部４３側には、搬送部４２の一部を構成する一対の搬送ローラ６１、６２が所定間隔を空けて回動自在に取り付けてある。アイドリングローラ５１、繰り出しローラ５２、搬送ローラ６１、６２の上面は一直線上に並び、カード収容部４１からビジターカード挿入口１９にかけての水平な搬送経路を構成している。
【００５４】
搬送ローラ６１と搬送ローラ６２の距離はビジターカード３８の長さより少し短い間隔に設定されている。また、各搬送ローラ６１、６２の上方には、これらの上面をバネで付勢されて押圧するピンチローラ６３、６４がそれぞれ設けてある。
【００５５】
ビジターカード挿入口１９側の搬送ローラ６２とビジターカード挿入口１９との間隔は、ビジターカード３８の長さよりも充分短くなるように設定されている。また繰り出しローラ５２側に配置された搬送ローラ６１と繰り出しローラ５２との間隔は、ビジターカード３８の長さよりも短く設定されている。
【００５６】
搬送ローラ６１、６２の下方のフレームＦにモータ７１が取り付けてある。モータ７１には、回転数および正転と逆転を制御が可能なステッピングモータやサーボモータが使用される。モータ７１の回転はギア、プーリ、タイミングベルトを通じて搬送ローラ６１、６２と繰り出しローラ５２とに伝達される。
【００５７】
モータ７１を正転駆動するとビジターカード挿入口１９からカード収容部４１に向けてビジターカード３８が搬送され、逆転駆動するとカード収容部４１からビジターカード挿入口１９に向けてビジターカード３８が搬送されるようになっている。
【００５８】
ビジターカード挿入口１９側の搬送ローラ６２とビジターカード挿入口１９との間の位置には搬送経路を上下から挟むように一対の第１カードセンサ８１が配置されている。同様に、搬送ローラ６１と搬送ローラ６２の略中間の位置には一対の第２カードセンサ８２が、繰り出しローラ５２側の搬送ローラ６１と繰り出しローラ５２との間であって搬送ローラ６１の近傍には一対の第３カードセンサ８３がそれぞれ配置されている。
【００５９】
これらのセンサ８１〜８３は、発光部と受光部とを対向配置した透過型の光センサである。ビジターカード３８が発光部と受光部の間に進入して光を遮ると、そのセンサ位置にビジターカード３８が存在することを検知するようになっている。
【００６０】
搬送ローラ６１と搬送ローラ６２との間の搬送経路の上方にはカードアクセス部４３のアンテナ４３ａが設置されている。
【００６１】
図６は、カード制御基板９０の回路構成を示している。カード制御基板９０は、カード処理装置４０の動作を統括制御するＣＰＵ（中央処理装置）９１と、ＣＰＵ９１の動作手順を表わしたプログラムや各種の固定データを記憶したＲＯＭ（リード・オンリ・メモリ）９２と、ＣＰＵ９１がＲＯＭ９２に格納されたプログラムを読み出して実行する際に各種データを一時的に記憶するＲＡＭ（ランダム・アクセス・メモリ）９３とを備えている。
【００６２】
ＣＰＵ９１には、Ｉ／Ｏユニット９４を介してモータドライバ９５と、ソレノイドドライバ９６と、センサアンプ９７と、通信ユニット９８とが接続されている。このほか、ＣＰＵ９１は、制御基板３２、３３とも接続されており、各種の情報や指令を受け渡しするようになっている。
【００６３】
モータドライバ９５は、ＣＰＵ９１からの指示に従ってモータ７１に駆動信号を送出する。ソレノイドドライバ９６は、ＣＰＵ９１からの指示に従ってソレノイド５６に駆動信号を送出する。センサアンプ９７には第１カードセンサ８１や満杯センサ４４などが接続され、各センサから検出信号が入力される。
【００６４】
次に、台間遊技設備機器１０のビジターカード３８に係わる動作を説明する。
【００６５】
ビジターカード３８やメンバーカードが挿入されていない状態で現金が紙幣挿排口１２に投入されると、予め定めた規定金額分のパチンコ球を払い出す。そして、カード収容部４１から１枚のビジターカード３８を繰り出し、カードアクセス部４３まで搬送して一時停止させ、つり銭をビジターカード３８に記録するようになっている。
【００６６】
図７は、カード収容部４１から１枚のビジターカード３８を繰り出す動作を示している。繰り出し動作においては、まずモータ７１を逆転駆動する。これにより、収容されている中で下端にあった１枚のビジターカード３８ａが繰り出しローラ５２の回転に伴ってカードアクセス部４３側へと搬送される。このとき、下端にある１枚のビジターカード３８ａだけが通過口４１ｂを通過し、下端から２枚目以降のカード３８ｂは側壁４１ａの存在により移動が阻止され、外部へ繰り出されたり積載状態が乱れたりすることはない。
【００６７】
繰り出されたビジターカード３８ａの先端を第３カードセンサ８３が検知してから所定距離の搬送が行なわれた時点で、モータ７１を一時停止し、ソレノイド５６を駆動する。上記の所定距離は、ビジターカード３８の先端が搬送ローラ６１とピンチローラ６３との間に到達し、かつビジターカード３８の後端が押上レバー５５の一方の片５５ａの先端位置と繰り出しローラ５２の最上部との間にあるという条件を満足するように設定される。搬送距離は、モータ７１に与える駆動パルスの数に基づいて計測するとよい。
【００６８】
このほか、上記の条件を満足する位置にビジターカード３８が到達したとき、ビジターカード３８の先端が第２カードセンサ８２の検知位置に来るように各部の配置を設定し、第２カードセンサ８２がビジターカード３８を検知した時点でモータ７１を停止するように構成してもよい。
【００６９】
ソレノイド５６を駆動した後、モータ７１の逆転駆動を再開する。このとき、図８に示すように２枚目以降のカード３８ｂは押上レバー５５によって押し上げられているので、繰り出しローラ５２と接触せず、外部へ繰り出されようとしたり積層状態が乱れたりすることはない。
【００７０】
その後、第２カードセンサ８２がビジターカード３８を検知し、かつ第３カードセンサ８３がビジターカード３８を検知しなくなったときもしくは第１カードセンサ８１がビジターカード３８の先端を検知したとき、カードアクセス部４３が情報を読み書きするためのアクセス位置にビジターカード３８が到達したものと判断し、モータ７１およびソレノイド５６の駆動を停止する。
【００７１】
繰り出し動作が完了してビジターカード３８がアクセス位置に到着すると、ビジターカード３８のＩＣタグ３９に対する情報の読み出しおよび書き込みが行なわれる。たとえば、つり銭に相当する金額が書き込まれる。
【００７２】
遊技者は、操作部１５から金額を入力して残金の範囲内でパチンコ球の貸し出しを受けることができる。残金が残っている状態で精算ボタンが操作されると、残高情報をビジターカード３８のＩＣタグ３９に書き込んだ後、ビジターカード３８をビジターカード挿入口１９から排出する。
【００７３】
排出動作においては、ソレノイド５６を駆動し、モータ７１を逆転駆動し、第２カードセンサ８２がビジターカード３８を検知しなくなった時点でモータ７１およびソレノイド５６の駆動を停止する。このときビジターカード３８の一部がビジターカード挿入口１９から突出した状態になっており、ビジターカード挿入口１９から突出しているビジターカード３８を遊技者が引き抜くと第１カードセンサ８１がビジターカード３８を検知しなくなり、カードの返却が確認される。
【００７４】
パチンコ球の貸し出しにより残金が無くなったときは、カードアクセス部４３にあるビジターカード３８をカード収容部４１へ搬送して回収する。
【００７５】
回収動作では、まずソレノイド５６を駆動して押上レバー５５を図８に示す状態に持ち上げる。次にモータ７１を正転駆動する。押上レバー５５の持ち上げによって生じた空間に通過口４１ｂを通じてビジターカード３８が送り込まれる。モータ７１の正転駆動は、ビジターカード３８の先端を第３カードセンサ８３が検知してから所定距離の搬送が行なわれた時点で一時停止する。この所定距離は、送り込まれるビジターカード３８の先端が繰り出しローラ５２の上面に到達し、かつ押上レバー５５と衝突しない範囲に設定される。停止位置を、第２カードセンサ８２がビジターカード３８の後端を検知したことで認識するようにセンサや各部の配置を設定してもよい。
【００７６】
モータ７１を一時停止した状態で、ソレノイド５６の駆動を停止する。これにより、回収中のビジターカード３８ａが積層状態の最下層に食い込んだ状態になる。その後、モータ７１の正転駆動を再開すると、ビジターカード３８ａがさらに奥へと送り込まれる。第３カードセンサ８３がビジターカード３８ａを検知しなくなってから所定距離が搬送されたとき、モータ７１の正転駆動を停止する。これにより、ビジターカード３８ａがカード収容部４１内の定位置に収容され、回収動作が完了する。
【００７７】
残金のあるビジターカード３８を利用して新たに遊技を行なう場合は、遊技者により台間遊技設備機器１０のビジターカード挿入口１９にビジターカード３８が挿入される。ビジターカード挿入口１９に挿入されたビジターカード３８を第１カードセンサ８１が検知すると、ソレノイド５６を駆動し、さらにモータ７１の正転駆動を開始する。そして、第２カードセンサ８２がビジターカード３８を検知し、かつ第１カードセンサ８１がビジターカード３８を検知しなくなったときもしくは第３カードセンサ８３がビジターカード３８の先端を検知したときビジターカード３８がアクセス位置に到達したと判断し、ソレノイド５６およびモータ７１の駆動を停止する。その後、カードアクセス部４３はアクセス位置に停止しているビジターカード３８に対して必要なデータの読み出しや書き込みを行なう。
【００７８】
ビジターカード３８の残金が無くなった場合は、先に説明したと同様の手順でカード収容部４１へ回収される。また残金が無くなる前に精算ボタンが操作されたときは、先に説明したと同様の手順でビジターカード挿入口１９から排出される。
【００７９】
上記のように、ビジターカード３８を水平な状態で垂直方向に積み重ねてカード収容部４１に収容するので、台間遊技設備機器１０の内部構成によっては、数百枚のビジターカード３８を収容することが可能になる。また、積み重ねて収容されているビジターカード３８の自重や錘４６によって下端のビジターカード３８が繰り出しローラ５２やアイドリングローラ５１に向けて押圧するので、バネなどで押圧力を得る場合に比べて構造が簡略化される。
【００８０】
さらに、カード収容部４１の側壁４１ａの下端の長さを調整することでビジターカード１枚分の厚みに相当する通過口４１ｂを形成しているので、１枚ずつ繰り出すための機構が簡単な構成で実現され、製造工数や製造価格が低減される。
【００８１】
また、カード収容部４１に収容されているビジターカード３８を、繰り出し動作および回収動作の一時期を除いて押上レバー５５で押し上げて繰り出しローラ５２と接触させないようにしているので、不必要なときに繰り出しローラ５２がビジターカード３８を擦って痛めたり、不要なビジターカード３８がカード収容部４１から繰り出されたりすることが防止される。
【００８２】
具体的には、ビジターカード挿入口１９からアクセス位置へビジターカード３８を搬送する際にソレノイド５６を駆動することで、繰り出しローラ５２がカード収容部４１に積層収容されている下端のビジターカード３８を擦って痛めることが回避される。またビジターカード３８をアクセス位置からビジターカード挿入口１９へ搬送する際に不要なビジターカード３８の繰り出しが防止される。
【００８３】
また、押上レバー５５を設けたことで、繰り出しローラ５２と搬送ローラ６１、６２とを独立に駆動可能な構成にしなくても、上記のような不要な繰り出しや摩擦による劣化を防止できるので、動力源７１を１つにしながら、繰り出しローラ５２をフリーにするためのクラッチなどが不要となり、構造が簡略化される。
【００８４】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８５】
たとえば、実施の形態では、隣接するパチンコ機に払出信号を送出し、そのパチンコ機からパチンコ球の払い出しを行なわせる、いわゆるＣＲサンド機を例に台間遊技設備機器１０を説明したが、パチンコ球の払出機構を台間遊技設備機器自身が有する、いわゆる現金機として構成してもよい。この場合、隣接するパチンコ機の上皿にパチンコ球を案内する排出ノズルなどが台間遊技設備機器の前面に設けられる。
【００８６】
また、実施の形態では、積層されているカードの下端においてカードの繰り出しおよび回収を行なう場合を示したが、積層されたカードの上端においてカードの繰り出しや回収を行なう構成であってもかまわない。この場合、積層されているカードをその下端から上方に向けてバネなどで付勢する加圧手段を設けるとよい。
【００８７】
なお、リモコン操作などで係員が満杯のカード収容部４１からビジターカード３８を回収する場合や、カード切れのカード収容部４１へビジターカード３８を補給する場合には、アクセス位置で一時停止することなくビジターカード挿入口１９とカード収容部４１との間でビジターカード３８を搬送するように構成するとよい。
【００８８】
また、実施の形態では、ＩＣタグ３９を内蔵したビジターカード３８を例に説明したが、カードへの情報の記録方法・記録媒体は例示したものに限定されない。
【００８９】
さらに、実施の形態では、ビジターカード挿入口１９とカード収容部４１との間でビジターカード３８を水平な状態で真っ直ぐ搬送する例を示したが、ビジターカード挿入口１９とカード収容部４１との途中で経路が上下に傾斜してもかまわない。
【図面の簡単な説明】
【００９０】
【図１】本発明の実施の形態に係わるカード処理装置の概略構成を示す説明図である。
【図２】本発明の実施の形態に係わる台間遊技設備機器の遊技場における設置状態の一例を示す説明図である。
【図３】本発明の実施の形態に係わる台間遊技設備機器を示す正面図である。
【図４】本発明の実施の形態に係わる台間遊技設備機器を示す左側面図である。
【図５】本発明の実施の形態に係わる台間遊技設備機器で使用されるビジターカードの一例を示す説明図である。
【図６】本発明の実施の形態に係わるカード処理装置の動作を制御するカード制御基板の回路構成を示すブロック図である。
【図７】カード収容部から１枚のビジターカードを繰り出す際の動作状態を示す説明図である。
【図８】カード収容部に収容されているビジターカードを押上レバー５５が持ち上げた状態を示す説明図である。
【符号の説明】
【００９１】
Ｆ…フレーム
３…パチンコ機
５…上皿
１０…台間遊技設備機器
１１…状態表示ランプ
１２…紙幣挿排口
１３…度数表示部
１４…表示部
１５…操作部
１６…受光部
１７…キー穴
１８…ビジターカード確認ＬＥＤ
１９…ビジターカード挿入口
２０…メンバーカード確認ＬＥＤ
２１…メンバーカード挿入口
３１…紙幣識別機
３２、３３…制御基板
３４…外部出力端子板
３５…メンバーカードＲ／Ｗユニット
３８…ビジターカード
３８ａ…ビジターカード
３８ｂ…２枚目以降のビジターカード
３９…ＩＣタグ
４０…カード処理装置
４１…カード収容部
４１ａ…側壁
４１ｂ…通過口
４２…搬送部
４３…カードアクセス部
４３ａ…アンテナ
４４…満杯センサ
４５…エアエンドセンサ
４６…錘
５１…アイドリングローラ
５２…繰り出しローラ
５３、５４…支軸
５５…押上レバー
５５ａ…押上レバーの一方の片
５５ｂ…押上レバーの他方の片
５６…ソレノイド
５６ａ…ロッド
５７…リミットスイッチ
６１、６２…搬送ローラ
６３、６４…ピンチローラ
７１…モータ
８１…第１カードセンサ
８２…第２カードセンサ
８３…第３カードセンサ
９０…カード制御基板
９１…ＣＰＵ
９２…ＲＯＭ
９３…ＲＡＭ
９４…Ｉ／Ｏユニット
９５…モータドライバ
９６…ソレノイドドライバ
９７…センサアンプ
９８…通信ユニット
【図１】
2006006502.tif 000003
【図２】
2006006502.tif 000004
【図３】
2006006502.tif 000005
【図４】
2006006502.tif 000006
【図５】
2006006502.tif 000007
【図６】
2006006502.tif 000008
【図７】
2006006502.tif 000009
【図８】
2006006502.tif 000010